(57)【要約】【課題】周囲に騒音被害を与えないようにする。【解決手段】本実施形態のコンテンツ再生装置は、所定のコンテンツを所定の時刻に自動再生する装置であって、前記コンテンツの視聴者を検知する検知部の検知結果に応じて前記コンテンツの再生音量を制限する音量自動調整部を備える。【選択図】図１
2019057760.tif 000002
【特許請求の範囲】
【請求項１】
所定のコンテンツを所定の時刻に自動再生する装置であって、
前記コンテンツの視聴者を検知する検知部の検知結果に応じて前記コンテンツの再生音量を制限する音量自動調整部を
備えるコンテンツ再生装置。
【請求項２】
前記音量自動調整部が、時間帯毎に定められた各閾値を超えないように前記再生音量を制限する
請求項１に記載のコンテンツ再生装置。
【請求項３】
前記時間帯の設定が、季節に応じて異なる値に設定される
請求項１または２に記載のコンテンツ再生装置。
【請求項４】
前記時間帯の設定が、曜日に応じて異なる値に設定される
請求項１から３のいずれか１項に記載のコンテンツ再生装置。
【請求項５】
前記各閾値が、月に応じて異なる値に設定される
請求項１から４のいずれか１項に記載のコンテンツ再生装置。
【請求項６】
前記各閾値が、前記コンテンツの音楽ジャンルに応じて異なる値に設定される
請求項１から５のいずれか１項に記載のコンテンツ再生装置。
【請求項７】
前記音量自動調整部は、前記検知部が前記コンテンツの視聴者を検知した場合に前記再生音量の制限を解除する
請求項１から６のいずれか１項に記載のコンテンツ再生装置。
【請求項８】
コンテンツ再生装置によって所定のコンテンツを所定の時刻に自動再生する方法であって、
検知部によって前記コンテンツの視聴者を検知し、
音量自動調整部によって前記検知部の検知結果に応じて前記コンテンツの再生音量を制限する
コンテンツ再生方法。
【請求項９】
所定のコンテンツを所定の時刻に自動再生するコンテンツ再生装置が実行するプログラムであって、
前記コンテンツ再生装置が備える音量自動調整部に、前記コンテンツの視聴者を検知する検知部の検知結果に応じて前記コンテンツの再生音量を制限させる
コンテンツ再生プログラム。
【発明の詳細な説明】
【技術分野】
【０００１】
本発明は、コンテンツ再生装置、コンテンツ再生方法およびコンテンツ再生プログラムに関する。
【背景技術】
【０００２】
コンテンツ再生装置には、設定した時刻にコンテンツを自動的に再生する機能を有するものがある（例えば特許文献１）。しかしながら、例えば、近くに視聴者がいない状態でコンテンツが自動再生されると、付近で仕事をしている人等コンテンツを視聴していない人が、騒音被害を感じてしまう可能性があるという課題がある。
【先行技術文献】
【特許文献】
【０００３】
【特許文献１】特開２０１２−１０９７２２号公報
【発明の概要】
【発明が解決しようとする課題】
【０００４】
本発明は、上記事情に鑑みてなされたものであり、周囲に騒音被害を与えないようにすることができるコンテンツ再生装置、コンテンツ再生方法およびコンテンツ再生プログラムを提供することを目的とする。
【課題を解決するための手段】
【０００５】
上記課題を解決するため、本発明の一態様は、所定のコンテンツを所定の時刻に自動再生する装置であって、前記コンテンツの視聴者を検知する検知部の検知結果に応じて前記コンテンツの再生音量を制限する音量自動調整部を備えるコンテンツ再生装置である。
【０００６】
また、本発明の一態様は、コンテンツ再生装置によって所定のコンテンツを所定の時刻に自動再生する方法であって、検知部によって前記コンテンツの視聴者を検知し、音量自動調整部によって前記検知部の検知結果に応じて前記コンテンツの再生音量を制限するコンテンツ再生方法である。
【０００７】
また、本発明の一態様は、所定のコンテンツを所定の時刻に自動再生するコンテンツ再生装置が実行するプログラムであって、前記コンテンツ再生装置が備える音量自動調整部に、前記コンテンツの視聴者を検知する検知部の検知結果に応じて前記コンテンツの再生音量を制限させるコンテンツ再生プログラムである。
【発明の効果】
【０００８】
本発明によれば、音量自動調整部によってコンテンツの再生音量を制限することができるので、周囲に騒音被害を与えないようにすることができる。
【図面の簡単な説明】
【０００９】
【図１】本発明の一実施形態に係るモニターシステムの構成例を示すブロック図である。
【図２】図１に示す記憶部３に記憶される情報の一例を示す図である。
【図３】図２に示すコンテンツ再生スケジュールファイル３３の内容の一例を示す図である。
【図４】図２に示すコンテンツファイル３４の構成例を示す図である。
【図５】図１に示すモニターシステム１によるコンテンツの自動再生動作の一例を示す図である。
【図６】図１に示すメインマイコン２３の動作例を示すフローチャートである。
【図７】図６に示す閾値を設定する処理（Ｓ１０６）の一例を示すフローチャートである。
【図８】図７に示す各時間帯の時間設定を変更する処理の一例を示すフローチャートである。
【図９】図７に示す各時間帯の時間設定を変更する処理の一例を示すフローチャートである。
【図１０】図７に示す各時間帯の各閾値を設定する処理の一例を示すフローチャートである。
【図１１】図７に示す各時間帯の各閾値を設定する処理の一例を示すフローチャートである。
【図１２】図６に示す処理実行後の図１に示すメインマイコン２３の動作例を示すフローチャートである。
【図１３】本発明の実施形態の最小構成例を示すブロック図である。
【発明を実施するための形態】
【００１０】
以下、図面を参照して本発明の実施形態について説明する。図１は、本発明の一実施形態に係るモニターシステム１の構成例を示すブロック図である。図１に示すモニターシステム１は、モニター２と、記憶部３と、入出力部４を備える。モニター２は、コンテンツファイル再生部２１と、表示部２２と、メインマイコン２３を備える。モニターシステム１は、例えば、パブリックディスプレイシステムとして用いることができる。
【００１１】
記憶部３は、メモリカード３１および汎用シリアルバス（ＵＳＢ）メモリ３２を着脱自在に接続し、メモリカード３１および汎用シリアルバスメモリ３２を記憶装置として動作する。ただし、これに限定されず、記憶部３は、例えば、ハードディスク、シリコンディスク、光ディスク等から記憶装置を構成してもよい。
【００１２】
記憶部３は、図２に示すコンテンツ再生スケジュールファイル３３とコンテンツファイル３４を記憶する。図２は、図１に示す記憶部３が記憶する情報の一例を示す図である。コンテンツ再生スケジュールファイル３３は、１または複数のコンテンツファイル３４を自動再生するスケジュールを示す情報を含む。
【００１３】
コンテンツ再生スケジュールファイル３３は、例えば図３に示す内容を示すデータを含む。図３は、図２に示すコンテンツ再生スケジュールファイル３３の内容の一例を示す図である。図３に示す例では、コンテンツ再生スケジュールファイル３３は、再生日と、再生するコンテンツの各ファイル名（コンテンツの識別情報）と、各コンテンツの再生時間（開始時刻と終了時刻）を示すデータを含んでいる。再生日を表す情報は、年月日、曜日等で表される。図３に示す例では、コンテンツ再生スケジュールファイル３３は、再生日が２０１７年０７月０１日（土曜日）、３時００分から１２時００分にファイル名「Ｍｏｖｉｅ１」の動画ファイルを再生し、１２時００分から１８時００分にファイル名「Ｍｏｖｉｅ２」の動画ファイルを再生し、２０時００分から２２時００分にファイル名「Ｐｈｏｔｏ１」の静止画ファイルを再生するというスケジュールを示すデータを含んでいる。なお、コンテンツ再生スケジュールファイル３３は、例えば、再生日を表す情報を含むファイル名を有する。
【００１４】
コンテンツファイル３４は、動画、静止画、ＢＧＭ（バックグラウンドミュージック）等のオーディオ信号等の内容を示すデータを含む。コンテンツファイル３４は、それぞれ異なるファイル名を有する。コンテンツファイル３４は、例えば図４（ａ）に示すように、ビデオデータ、オーディオデータ等のコンテンツデータ３４１と、コンテンツデータに関する情報であるメタデータ３４２を含んでいる。コンテンツデータ３４１は、動画の場合、例えば図４（ｂ）に示すような拡張子と動画コーデックと音声コーデックを用いた種々のフォーマットで構成される。また、コンテンツデータ３４１は、ＢＧＭの場合、例えば図４（ｃ）に示すような拡張子と音声コーデックを用いたフォーマットで構成される。また、メタデータ３４２は、動画の場合、例えば図４（ｂ）に示すように、タイトル／アーティスト名／ジャンル／アスペクト比／圧縮方法／サンプルレート／再生時間／音声情報等の情報を含むことができる。また、メタデータ３４２は、ＢＧＭの場合、例えば図４（ｃ）に示すように、曲名／アーティスト名／アルバム名／発売年／トラックの有無／ジャンル／ファイルサイズ／再生時間／音声情報等の情報を含むことができる。
【００１５】
ここで、音声情報は、当該コンテンツのオーディオ信号の大きさを表す情報である。オーディオ信号の大きさは、例えば、当該コンテンツのオーディオ信号の最大振幅の値とすることができる。この場合、オーディオ信号の大きさは、最大振幅の値をオーディオ信号の量子化ビット数で正規化した値とすることができる。音声情報は、例えば、コンテンツファイル３４を用意する際等、事前に他のコンピュータで算出し、当該コンテンツファイル３４のメタデータ３４２に書き込んでおく。
【００１６】
記憶部３は、記憶装置が記憶するコンテンツ再生スケジュールファイル３３やコンテンツファイル３４を読み出してコンテンツファイル再生部２１へ出力したり、例えば内容やメタデータを変更したコンテンツ再生スケジュールファイル３３やコンテンツファイル３４をコンテンツファイル再生部２１から入力して記憶装置に書き込んだりする。なお、記憶部３は、例えばモニター２と一体的に構成されていたり、ケーブル等を介してモニター２の外部に設置されていたりする。
【００１７】
図１に示す入出力部４は、人感センサー４１とスピーカー部４２を備える。人感センサー４１は、例えば赤外線、超音波、可視光等を利用して人の所在を検知する検知器である。人感センサー４１は、表示部２２の視聴者が通常所在する範囲に人が居るか否かを検知することができる位置および向きに設置されている。この場合、メインマイコン２３は、人感センサー４１の出力信号に基づき、表示部２２の視聴者の有無を推定することができる。また、スピーカー部４２は、１または複数のスピーカーと、メインマイコン２３から入力した例えばディジタルのオーディオ信号を、アナログ信号に変換し、さらに増幅して各スピーカーを駆動する回路を備える。その際、スピーカー部４２は、メインマイコン２３から指示された増幅率でオーディオ信号を増幅し、再生する。なお、人感センサー４１とスピーカー部４２の一方または両方は、例えばモニター２と一体的に構成されていたり、ケーブル等を介してモニター２の外部に設置されていたりする。
【００１８】
コンテンツファイル再生部２１は、メインマイコン２３によって制御され、記憶部３が記憶するコンテンツ再生スケジュールファイル３３の内容に基づき所定のコンテンツファイル３４を、所定の時刻に再生する。コンテンツファイル再生部２１は、再生するコンテンツファイル３４の内容に基づき、表示部２２に対してビデオ信号を表す信号情報を出力したり、メインマイコン２３に対してオーディオ信号を表す信号情報を出力したりする。また、コンテンツファイル再生部２１は、メインマイコン２３の指示に従い、記憶部３が記憶するコンテンツ再生スケジュールファイル３３やコンテンツファイル３４のメタデータ３４２を読み出して、メインマイコン２３へ送信する。コンテンツファイル再生部２１は、また、メインマイコン２３によって制御され、起動したり、停止したり、あるいは休止したりする。
【００１９】
表示部２２は、透過型、投写型あるいは自己発光型の表示装置であり、メインマイコン２３によって制御され、コンテンツファイル再生部２１が出力したビデオ信号を表す信号情報に基づく画像を表示する。表示部２２は、例えば、コンテンツファイル再生部２１が出力した信号情報を入力したり、メインマイコン２３から映像信号を入力したり、図示していない他の外部の機器から映像信号を入力したりする。また、表示部２２は、メインマイコン２３の指示にしたがい入力信号を切り替える。表示部２２は、また、メインマイコン２３によって制御され、起動したり、停止したり、あるいは休止したりする。
【００２０】
メインマイコン２３は、マイクロコンピュータであり、ＣＰＵ（中央処理装置）、主記憶装置、補助記憶装置、入出力装置、通信装置、計時装置等を備え、ＣＰＵで補助記憶装置に記憶されている所定のプログラムを実行することで動作する。メインマイコン２３は、コンテンツファイル再生部２１、表示部２２、人感センサー４１およびスピーカー部４２との間で所定の情報を入出力することでそれらの各部を制御する。また、メインマイコン２３は、例えばコンテンツファイル再生部２１を介して、記憶部３が記憶するコンテンツ再生スケジュールファイル３３やコンテンツファイル３４の内容を参照する。また、メインマイコン２３は、例えば、記憶部３が記憶するコンテンツ再生スケジュールファイル３３の内容に基づいて、コンテンツファイルの再生開始時刻になった場合、コンテンツファイル再生部２１と表示部２２を起動したり（ＤＣ  ＯＮしたり）、表示部２２の入力をコンテンツファイル再生部２１に切り替えたりする。また、メインマイコン２３は、人感センサー４１が出力した検出信号を入力し、視聴者が居るか否かを判定する。また、メインマイコン２３は、コンテンツファイル３４のメタデータ３４２の音声情報に基づき、スピーカー部４２の再生音量を自動調整する。
【００２１】
なお、コンテンツ再生スケジュールファイル３３の内容が図３に示す内容である場合、モニターシステム１は、２０１７年０７月０１日に、図５に示すようにコンテンツを再生する。図５は、図１に示すモニターシステム１によるコンテンツの自動再生動作の一例を示す図である。この場合、モニターシステム１は、０時００分から３時００分までコンテンツの再生を行わず、休止状態（例えばコンテンツファイル再生部２１と表示部２２が休止状態）となる。モニターシステム１は、３時００分から１２時００分までファイル名「Ｍｏｖｉｅ１」の動画ファイルを再生する。また、モニターシステム１は、１２時００分から１８時００分までファイル名「Ｍｏｖｉｅ２」の動画ファイルを再生する。また、モニターシステム１は、１８時００分から２０時００分までコンテンツの再生を行わず、休止状態となる。また、モニターシステム１は、２０時００分から２２時００分までファイル名「Ｐｈｏｔｏ１」の静止画ファイルを再生する。また、モニターシステム１は、２２時００分から２４時００分までコンテンツの再生を行わず、休止状態となる。
【００２２】
次に、図６を参照して、図１に示すまたモニターシステム１の動作例について説明する。図６は、図１に示すメインマイコン２３の動作例を示すフローチャートである。図６に示す処理は、図１に示すメインマイコン２３によってモニターシステム１の起動時または前のコンテンツファイル３４の再生終了時に実行される。
【００２３】
図６に示す処理で、メインマイコン２３は、まず、コンテンツ再生スケジュールファイル３３の情報を取得し、コンテンツ再生スケジュールファイル３３から取得した情報に基づきコンテンツファイル３４の情報を取得する（ステップＳ１０１）。このケースでは、例えば、メインマイコン２３が２０１７年７月１日０時００分に各情報を読み込み、その情報を保持しておく。次に、メインマイコン２３は、コンテンツ再生約１分前になるまで待機する（ステップＳ１０２でＮＯの繰り返し）。コンテンツ再生約１分前になると（ステップＳ１０２でＹＥＳになると）、メインマイコン２３は、人感センサー４１の出力値を取得する（ステップＳ１０３）。メインマイコン２３は、コンテンツ開始時刻になるまで、人感センサー４１の出力値を所定の周期で繰り返し取得する（ステップＳ１０４でＮＯからステップＳ１０３の繰り返し）。コンテンツ開始時刻になると（ステップＳ１０４でＹＥＳになると）、メインマイコン２３は、人感センサー４１が人の存在を検知しているか否かを判定する（ステップＳ１０５）。
【００２４】
人感センサー４１が人の存在を検知していなかった場合（ステップＳ１０５でＮＯの場合）、メインマイコン２３は、音量の自動調整を行うか否かを判定する際の閾値を設定する（ステップＳ１０６）。閾値は、上述したコンテンツファイル３４の音声情報、すなわち当該コンテンツのオーディオ信号の大きさを表す情報に対する比較基準となる値である。閾値は、例えば、モニターシステム１の設置場所等に応じて予め決められた値である。ただし、閾値は、再生時間（再生開始時刻）や再生日、再生時期等に応じて予め決められた複数の値から選択的に設定することもできる。閾値の設定手法のバリエーションについては後述する。
【００２５】
次に、メインマイコン２３は、コンテンツファイル３４の音声情報がステップＳ１０６で設定した閾値より大きいか否かを判定する（ステップＳ１０７）。コンテンツファイル３４の音声情報がステップＳ１０６で設定した閾値より大きい場合（ステップＳ１０７でＹＥＳの場合）、メインマイコン２３は、コンテンツファイル３４の音声情報から音量自動調整値を算出する（ステップＳ１０８）。音量自動調整値は、スピーカー部４２に設定されるオーディオ信号の増幅率に対応する値である。例えば、音声情報が閾値と一致するコンテンツを再生した場合に、騒音とならないレベルの増幅率を音量自動調整値の基準値とし予め設定しておく。そして、音声情報が閾値を超えた場合、音声情報と閾値の差の大きさに応じて、差が大きいときほど基準値からより小さくなるように音量自動調整値が算出される。次に、メインマイコン２３は、算出した音量自動調整値をスピーカー部４２の音量の設定値（増幅率の設定値）とする（ステップＳ１０９）。ステップＳ１０９の設定後、スピーカー音量の自動調整が実施される。
【００２６】
人感センサー４１が人の存在を検知している場合（ステップＳ１０５でＹＥＳの場合）、コンテンツファイル３４の音声情報がステップＳ１０６で設定した閾値より大きくない場合（ステップＳ１０７でＮＯの場合）、または、音量自動調整値を設定した場合（ステップＳ１０９）、メインマイコン２３は、表示部２２の入力をコンテンツファイル再生部２１へ切り替え（ステップＳ１１０）、電源をオンしてコンテンツの再生を開始する（ステップＳ１１１）。
【００２７】
図６に示す動作例では、ステップＳ１０８の処理とステップＳ１０９の処理によって、再生されるコンテンツファイル３４の再生開始前までに、音量が騒音にならない状態まで自動調整され、コンテンツの再生が開始される。すなわち、ステップＳ１０８の処理とステップＳ１０９の処理によって、コンテンツの再生音量が制限される。
【００２８】
一方、人の存在が検知された場合（ステップＳ１０５でＹＥＳの場合）、音量の自動調整は実施されない。
【００２９】
また、コンテンツファイル３４の音声情報がステップＳ１０６で設定した閾値より大きくない場合（ステップＳ１０７でＮＯの場合）も音量の自動調整は実施されない。すなわち、再生されるコンテンツファイルの音量が閾値以下（騒音値以下）の場合は、音量の自動調整は実施されない。
【００３０】
図６に示す動作例では、モニターシステム１は、まず、コンテンツ再生スケジュールファイル３３から、再生予定時刻を取得する。そして、モニターシステム１は、その時刻の約１分前から人がいるか否かを人感センサー４１によって検知する。モニターシステム１は、人がいなかった場合は、再生対象のコンテンツファイル３４から取得した音声情報に基づき、コンテンツの再生音量を騒音にならない音量に調整する。この調整内容は、各コンテンツファイルの音声情報によって異なる。また、人感センサー４１による人がいるか否かの検知開始タイミングは、設定に応じて変化させることができるようにしてもよい。
【００３１】
本実施形態のモニターシステム１によれば、近くに視聴者がいない場合、音量を自動調整してコンテンツの再生音量を制限することができる。よって、近くに視聴者がいない状態でコンテンツが自動再生された場合でも、付近で仕事をしている人等コンテンツを視聴していない人が、騒音被害を感じてしまう可能性を小さくすることができる。したがって、周囲に騒音被害を与えないようにすることができる。
【００３２】
次に、図７を参照して、図６のステップＳ１０６でコンテンツの再生時間帯毎に閾値を異ならせて設定する場合の処理の一例について説明する。図７は、図６に示す閾値を設定する処理（Ｓ１０６）の一例を示すフローチャートである。
【００３３】
図７に示す処理で、メインマイコン２３は、まず、コンテンツ再生スケジュールファイル３３から取得した情報に基づき、次に再生するコンテンツの再生開始時間を参照する（ステップＳ２０１）。そして、メインマイコン２３は、再生時間がどの時間帯に属するのかを判定する（ステップＳ２０２）。メインマイコン２３は、再生開始時間が００時００分〜０３時５９分の場合、閾値を深夜用の値に設定する（ステップＳ２０３）。また、メインマイコン２３は、再生開始時間が０４時００分〜０７時５９分の場合、閾値を早朝用の値に設定する（ステップＳ２０４）。また、メインマイコン２３は、再生開始時間が０８時００分〜１１時５９分の場合、閾値を朝用の値に設定する（ステップＳ２０５）。また、メインマイコン２３は、再生開始時間が１２時００分〜１５時５９分の場合、閾値を昼用の値に設定する（ステップＳ２０６）。また、メインマイコン２３は、再生開始時間が１６時００分〜１８時５９分の場合、閾値を夕方用の値に設定する（ステップＳ２０７）。また、メインマイコン２３は、再生開始時間が１９時００分〜２３時５９分の場合、閾値を夜用の値に設定する（ステップＳ２０８）。
【００３４】
各時間帯の閾値は、例えばモニターシステム１の設置場所の状況あるいは同種の設置場所の実績値等に応じて予め設定する。例えば、深夜の時間帯は閾値を下げる。昼間の時間帯は閾値を上げるというように設定することがきる。なお、図７の処理による機能は有効／無効の選択可能にしても良い。図７の処理を設けた場合、再生時間帯毎に閾値を異ならせて設定することで、より細やかに音量調整を行うことができる。
【００３５】
次に、図８を参照して、図７のステップＳ２０３〜Ｓ２０８の各時間帯の時間設定（開始時刻〜終了時刻）を再生日（季節）に応じて変更する場合の処理の一例について説明する。図８は、図７に示す各時間帯の時間設定を変更する処理の一例を示すフローチャートであり、例えば、図７に示すステップＳ２０１とステップＳ２０２の間に挿入して実行し、かつ、ステップＳ２０２の判定時間の範囲を図８の処理結果に応じて変更する。
【００３６】
図８に示す処理で、メインマイコン２３は、まず、コンテンツ再生スケジュールファイル３３から取得した再生日（月）を参照する（ステップＳ３０１）。そして、メインマイコン２３は、再生日がどの季節に属するのかを判定する（ステップＳ３０２）。メインマイコン２３は、再生日が３月１日〜５月３１日（春）の場合、各時間帯の時間設定（開始時刻と終了時刻）を春用の組に設定する（ステップＳ３０３）。また、メインマイコン２３は、再生日が６月１日〜８月３１日（夏）の場合、各時間帯の時間設定を夏用の組に設定する（ステップＳ３０４）。また、メインマイコン２３は、再生日が９月１日〜１１月３０日（秋）の場合、各時間帯の時間設定を秋用の組に設定する（ステップＳ３０５）。また、メインマイコン２３は、再生日が１２月１日〜２月２８（２９）日（冬）の場合、各時間帯の時間設定を冬用の組に設定する（ステップＳ３０６）。
【００３７】
この処理によれば、各時間帯（深夜、早朝、朝、昼、夕方、夜）の各時間設定を再生日（季節）に応じて変更させることができる。例えば、夏場は、深夜の時間帯を短くする。冬場は、深夜の時間帯を長くすることができる。
【００３８】
次に、図９を参照して、図８のステップＳ２０３〜Ｓ２０８の各時間帯の時間設定（開始時刻と終了時刻）を曜日に応じて変更する場合の処理の一例について説明する。図９は、図７に示す各時間帯の時間設定を変更する処理の一例を示すフローチャートであり、例えば、図７に示すステップＳ２０１とステップＳ２０２の間に挿入して実行し、かつ、ステップＳ２０２の判定時間の範囲を図９の処理結果に応じて変更する。
【００３９】
図９に示す処理で、メインマイコン２３は、まず、コンテンツ再生スケジュールファイル３３から取得した再生日（曜日）を参照する（ステップＳ４０１）。そして、メインマイコン２３は、再生日がどの曜日に属するのかを判定する（ステップＳ４０２）。メインマイコン２３は、再生日が日曜日から木曜日の場合、各時間帯の時間設定を翌日が平日用の組に設定する（ステップＳ４０３）。また、メインマイコン２３は、再生日が金曜日から土曜日の場合、各時間帯の時間設定を翌日が休日用の組に設定する（ステップＳ４０４）。
【００４０】
この処理によれば、各時間帯（深夜、早朝、朝、昼、夕方、夜）の各時間設定を再生日（曜日）に応じて変更させることができる。例えば、例えば、日曜日から木曜日は、深夜の時間帯を短くする（次の日、学校や会社があるため）。金曜日から土曜日は、深夜の時間帯を長くする（次の日は休日のため）ことができる。
【００４１】
なお、図９に示す処理による時間帯の設定と、図８に示す処理による時間帯の設定は、組み合わせて用いてもよい。
【００４２】
次に、図１０を参照して、図７のステップＳ２０３〜Ｓ２０８の各閾値を月に応じて変更する場合の処理の一例について説明する。図１０は、図７に示す各時間帯の各閾値の設定処理の一例を示すフローチャートであり、例えば、図７に示すステップＳ２０１とステップＳ２０２の間に挿入して実行する。
【００４３】
図１０に示す処理で、メインマイコン２３は、まず、コンテンツ再生スケジュールファイル３３から取得した再生日（月）を参照する（ステップＳ５０１）。そして、メインマイコン２３は、再生日がどの季節に属するのかを判定する（ステップＳ５０２）。メインマイコン２３は、再生日が３月１日〜５月３１日（春）の場合、各時間帯の閾値を春用の組（通常）に設定する（ステップＳ５０３）。また、メインマイコン２３は、再生日が６月１日〜８月３１日（夏）の場合、各時間帯の閾値を夏用の組に設定する（閾値を上げる）（ステップＳ５０４）。また、メインマイコン２３は、再生日が９月１日〜１１月３０日（秋）の場合、各時間帯の閾値を秋用の組（通常）に設定する（ステップＳ５０５）。また、メインマイコン２３は、再生日が１２月１日〜２月２８（２９）日（冬）の場合、各時間帯の閾値を冬用の組に設定する（閾値を下げる）（ステップＳ５０６）。
【００４４】
図１０に示す処理では、騒音であると判定する閾値を、コンテンツ再生スケジュールファイル３３から取得した、再生日（季節）に応じて変更する。冬場は、空気が乾燥（空気中に含まれる水分の量が少ない）していることで、音が響く状態になる。逆に、夏場は空気が湿っている（空気中に含まれる水分の量が多い）ため、音が響き難い状態になる。そのため、冬場は閾値を下げ、春／秋は通常の閾値とし、夏場は閾値を上げる。この機能は有効／無効の選択可能にしても良い。
【００４５】
次に、図１１を参照して、図７のステップＳ２０３〜Ｓ２０８の各閾値を音楽ジャンルに応じて変更する場合の処理の一例について説明する。図１１は、図７に示す各時間帯の各閾値の設定処理の一例を示すフローチャートであり、例えば、図７に示すステップＳ２０１とステップＳ２０２の間に挿入して実行する。
【００４６】
図１１に示す処理で、メインマイコン２３は、まず、再生対象のコンテンツファイル３４からメタデータ３４２のジャンルを参照する（ステップＳ６０１）。そして、メインマイコン２３は、ジャンルがどのジャンルなのかを判定する（ステップＳ６０２）。メインマイコン２３は、ジャンルがロックの場合、各時間帯の閾値をロック用の組に設定する（閾値を下げる）（ステップＳ６０３）。また、メインマイコン２３は、ジャンルがクラシックの場合、各時間帯の閾値をクラシック用の組に設定する（閾値を上げる）（ステップＳ６０４）。また、メインマイコン２３は、ジャンルがＪポップの場合、各時間帯の閾値をＪポップ用の組（通常閾値）に設定する（ステップＳ６０５）。また、メインマイコン２３は、ジャンルがア・カペラの場合、各時間帯の閾値をア・カペラ用の組（通常閾値）に設定する（ステップＳ６０６）。
【００４７】
図１１に示す処理では、再生対象のコンテンツファイル３４のジャンル情報（音声ファイルなら、ロックか、クラシックか、等）により、閾値を変更させる。ロックの場合は、曲調が激しいため、クラシックと同じ音量の場合でも、ロックの方がうるさく感じされてしまう。そのため、ロックの場合は閾値を下げ、クラシックの場合は閾値を上げる。
【００４８】
なお、図１０に示す処理による各時間帯の各閾値の設定と、図１１に示す処理による各時間帯の各閾値の設定は、組み合わせて用いてもよい。
【００４９】
次に、図１２を参照して、コンテンツ再生中に自動音声調整を開始したり、解除したりする場合の処理の一例について説明する。図１２は、図６に示す処理後の動作例を示すフローチャートであり、図６に示す処理の終了後に実行される。
【００５０】
図１２に示す処理では、まず、メインマイコン２３が、変数ｓｅｎｓｏｒと変数ｐｒｅｖ＿ｓｅｎｓｏｒを「０」に初期化する（ステップＳ７０１）。変数ｓｅｎｓｏｒと変数ｐｒｅｖ＿ｓｅｎｓｏｒは、人感センサー４１の出力値を格納する変数であり、変数ｐｒｅｖ＿ｓｅｎｓｏｒが変数ｓｅｎｓｏｒの１サンプリング周期前の値を格納する。
【００５１】
次に、メインマイコン２３は、人感センサー４１の値を取得する（ステップＳ７０２）。次に、メインマイコン２３は、変数ｐｒｅｖ＿ｓｅｎｓｏｒに変数ｓｅｎｓｏｒの値を格納する（ステップＳ７０３）。次に、メインマイコン２３は、取得した人感センサー４１の値を変数ｓｅｎｓｏｒに格納する（ステップＳ７０４）。次に、メインマイコン２３は、変数ｐｒｅｖ＿ｓｅｎｓｏｒと変数ｓｅｎｓｏｒが等しくないか否かを判定する（ステップＳ７０５）。変数ｐｒｅｖ＿ｓｅｎｓｏｒと変数ｓｅｎｓｏｒが等しい場合（ステップＳ７０５でＮＯの場合）、メインマイコン２３は、次のサンプリング周期で人感センサー４１の値を取得する（ステップＳ７０２）。
【００５２】
一方、変数ｐｒｅｖ＿ｓｅｎｓｏｒと変数ｓｅｎｓｏｒが等しくない場合（ステップＳ７０５でＹＥＳの場合）、メインマイコン２３は、人感センサー４１の出力値が人検知状態から人非検知状態へ変化したか否かを判定する（ステップＳ７０６）。人感センサー４１の出力値が人検知状態から人非検知状態へ変化した場合（ステップＳ７０６でＹＥＳの場合）、メインマイコン２３は、図６のステップＳ１０９と同様に、図６のステップＳ１０８で算出した音量自動調整値をスピーカー部４２の音量の設定値とする（ステップＳ７０７）。
【００５３】
一方、人感センサー４１の出力値が人検知状態から人非検知状態へ変化していない場合（ステップＳ７０６でＮＯの場合）、メインマイコン２３は、人感センサー４１の出力値が人非検知状態から人検知状態へ変化したか否かを判定する（ステップＳ７０８）。人感センサー４１の出力値が人非検知状態から人検知状態へ変化した場合（ステップＳ７０８でＹＥＳの場合）、メインマイコン２３は、図６のステップＳ１０９で変更する前のスピーカー部４２の音量の元の設定値に、スピーカー部４２の音量を再設定する（ステップＳ７０９）。
【００５４】
ステップＳ７０７の処理の後、ステップＳ７０９の処理の後、または、人感センサー４１の出力値が人非検知状態から人検知状態へ変化していない場合（ステップＳ７０８でＮＯの場合）、メインマイコン２３は、再生中のコンテンツの再生停止時刻に到達したか否かを判定する（ステップＳ７１０）。再生中のコンテンツの再生停止時刻に到達していない場合（ステップＳ７１０でＮＯの場合）、メインマイコン２３は、ステップＳ７０２以降の処理を再度実行する。
【００５５】
一方、再生中のコンテンツの再生停止時刻に到達した場合（ステップＳ７１０でＹＥＳの場合）、メインマイコン２３は、コンテンツの再生を停止し（ステップＳ７１１）、表示部２２とコンテンツファイル再生部２１を休止状態に制御し（ステップＳ７１２）、処理を終了する。
【００５６】
図１２に示す処理によれば、モニターシステム１は、自動音量調整実施中に、人非検知状態から人検知状態に変化した場合は、自動音量調整を停止し、元の音量で再生させることができる。また、モニターシステム１は、自動音量調整未実施中に人検知状態から人非検知状態に変化した場合は、自動音量調整機能を開始することができる。
【００５７】
次に、図１３を参照して、本発明の実施形態の最小構成例について説明する。図１３は、本発明の実施形態の最小構成例を示すブロック図である。図１３に示す本発明の実施形態に係るコンテンツ再生装置１０１は、所定のコンテンツを所定の時刻に自動再生する装置であって、コンテンツの視聴者を検知する検知部１０３の検知結果に応じてコンテンツの再生音量を制限する音量自動調整部１０２を備えている。図１３に示すコンテンツ再生装置１０１によれば、音量自動調整部１０２によってコンテンツの再生音量を制限することができるので、周囲に騒音被害を与えないようにすることができる。
【００５８】
図１３に示す構成と、図１、図６等に示す上記実施形態の構成との対応関係は次のとおりである。コンテンツ再生装置１０１は、図１に示すモニターシステム１に対応する。音量自動調整部１０２は、図１に示すメインマイコン２３が実行する図６に示すステップＳ１０８とステップＳ１０９の処理に対応する。あるいは、さらにスピーカー部４２を組み合わせた構成に対応する。検知部１０３は、図１に示す人感センサー４１に対応する。
【００５９】
以上、この発明の実施形態を図面を参照して詳述してきたが、具体的な構成はこの実施形態に限られるものではなく、この発明の要旨を逸脱しない範囲の設計等も含まれる。例えば、閾値を、コンテンツファイル３４のメタデータ３４２が含む音声情報と比較するのではなく、コンテンツファイル３４の再生中に逐次オーディオデータと比較するようにしてもよい。この場合、バッファメモリ等を用いて、再生の所定時間前のオーディオデータと閾値を比較するようにしてもよい。また、このような処理で最大振幅値を取得し、コンテンツファイル３４のメタデータ３４２に音声情報として書き込んでもよい。また、図１に示すメインマイコン２３が実行するプログラムは、コンピュータ読取可能な記録媒体や通信回線を介して頒布することができる。
【符号の説明】
【００６０】
１  モニターシステム
２  モニター
３  記憶部
４  入出力部
２１  コンテンツファイル再生部
２２  表示部
２３  メインマイコン
３１  メモリカード
３２  汎用シリアルバスメモリ
３３  コンテンツ再生スケジュールファイル
３４  コンテンツファイル
４１  人感センサー
４２  スピーカー部
【図１】
2019057760.tif 000003
【図２】
2019057760.tif 000004
【図３】
2019057760.tif 000005
【図４】
2019057760.tif 000006
【図５】
2019057760.tif 000007
【図６】
2019057760.tif 000008
【図７】
2019057760.tif 000009
【図８】
2019057760.tif 000010
【図９】
2019057760.tif 000011
【図１０】
2019057760.tif 000012
【図１１】
2019057760.tif 000013
【図１２】
2019057760.tif 000014
【図１３】
2019057760.tif 000015